(57)【要約】【課題】容器のデザイン性を向上させるとともに、上下２体のケースの形状と独立してこれらケースのスライド方向が定まるようにする。【解決手段】容器１が、上面に第１収容凹部２３を有する上ケース２０と、上ケース２０の後部にヒンジ部４０を介して回転可能に連結されるとともに第１収容凹部２３を開閉する上蓋１０と、上ケース２０の下方に位置して周壁３２の内側に第２収容凹部３４を有する下ケース３０と、下ケース３０に対して上ケース２０をスライドさせるスライド機構５０と、を備える。スライド機構５０が、下ケース３０の周壁３２の上面に設けられるスライド部材５１と、上ケース２０の下面に取り付けられ、スライド部材５１を案内するガイド部材７０と、を有する。スライド部材５１がガイド部材７０によって案内されることによって上ケース２０が下ケース３０に対してスライド可能に設けられている。【選択図】図４
2019193727.tif 000002
【特許請求の範囲】
【請求項１】
上面に第１収容凹部を有する上ケースと、
前記上ケースの後部にヒンジ部を介して回転可能に連結されるとともに前記第１収容凹部を開閉する上蓋と、
前記上ケースの下方に位置して周壁の内側に第２収容凹部を有する下ケースと、
前記下ケースに対して前記上ケースをスライドさせるスライド機構と、を備え、
前記スライド機構が、
前記下ケースの周壁上面に設けられるスライド部材と、
前記上ケースの下面に取り付けられ、前記スライド部材を案内するガイド部材と、を有し、
前記スライド部材が前記ガイド部材によって案内されることによって前記上ケースが前記下ケースに対してスライド可能に設けられている
容器。
【請求項２】
前記スライド機構による前記下ケースに対する前記上ケースのスライド範囲は、上から見て前記上ケースの外形と前記下ケースの外形が一致する位置から、上から見て前記上ケースと前記下ケースが部分的に重なった位置までである
請求項１に記載の容器。
【請求項３】
前記ガイド部材にはガイド凹所が凹設され、前記ガイド凹所の底にはガイドスリットが穿設され、前記ガイド凹所及び前記ガイドスリットが前記上ケースのスライド方向に延在し、
前記スライド部材が、
前記ガイド凹所の延在方向にスライド可能となって前記ガイド凹所に嵌め入れられる小天板と、
前記小天板から垂下し、前記ガイドスリットの延在方向にスライド可能となって前記スライドスリットに挿入され、前記下ケースの周壁上面に固定的に係止さる脚片と、を有する
請求項１又は２に容器。
【請求項４】
前記スライド機構が、前記下ケースの周壁上面に形成された凸状スライダを更に有し、
前記ガイド部材の下面に前記ガイドスリットと平行なガイド溝が形成され、前記凸状スライダが前記ガイド溝にスライド可能に嵌め入れられている
請求項１から３の何れか一項に記載の容器。
【請求項５】
前記ガイド溝の端に対応する位置において前記ガイド部材の下面、前記上ケースの下面又は前記ガイド溝の内底に形成された隆起部を更に備える
請求項１から４の何れか一項に記載の容器。
【請求項６】
前記ガイド部材が前記ヒンジ部の軸線に対して斜めの方向に前記スライド部材を案内する
請求項１から５の何れか一項に記載の容器。
【請求項７】
前記上ケース及び前記下ケースが上から見て矩形状の外形を有し、
前記ガイド部材が前記上ケース及び前記下ケースの外形の辺に対して斜め方向に前記スライド部材を案内し、
前記スライド部材が前記下ケースの周壁上面の後ろ角部に設けられている
請求項１から６の何れか一項に記載の容器。
【請求項８】
前記ガイド部材が前記上ケース及び前記下ケースの外形の対角線方向に前記スライド部材を案内する
請求項７に記載の容器。
【請求項９】
前記上ケース及び前記下ケースが上から見て円形状の外形を有する
請求項１から６の何れか一項に記載の容器。
【請求項１０】
前記ガイド部材が前記上ケース及び前記下ケースの径方向に前記スライド部材を案内する
請求項９に記載の容器。
【発明の詳細な説明】
【技術分野】
【０００１】
本発明は化粧用コンパクトとして好適な容器に関するもので、より具体的には下ケースと、この下ケースに対してスライドする上ケースと、上ケースを開閉する上蓋とを備える容器に関する。
【背景技術】
【０００２】
従来の特許文献１，２に開示された化粧用コンパクトは、以下のように構成されている。上面に凹部を有した平面矩形のケースが上下に重ねられ、下側のケースが上側のケースに対してスライド可能に設けられている。上側のケースの左右の側部には、前後方向に延在したガイド溝が形成され、下側のケースの左右の側部には、係合片が形成され、係合片がガイド溝に摺動可能に嵌め込まれている。これにより、下側のケースが上側のケースに対してスライドする。また、上側のケースの後部には、蓋体がヒンジ部によって開閉可能に連結されている。
【先行技術文献】
【特許文献】
【０００３】
【特許文献１】登録実用新案第３１１５０３６号公報
【特許文献２】特開２００１−２６９２１７号公報
【発明の概要】
【発明が解決しようとする課題】
【０００４】
ところが、特許文献１，２に記載の技術では、ガイド溝及び係合片が上下のケースの左右の側部に設けられているため、化粧用コンパクトのデザイン性に問題が生じる。特に、下側のケースが上側のケースに対して前方にスライドした時にガイド溝及び係合片が外部に露出し、これが化粧コンパクトの美的外観を損なう要因になる。
【０００５】
また、ガイド溝及び係合片が上下のケースの側部に設けられることによって下側のケースが上側のケースに対してスライドするため、上下の容器本体の形状は矩形に限定されてしまう。
【０００６】
そこで、本発明の目的は、化粧用コンパクト等の容器のデザイン性を向上させるとともに、上下２体のケースの形状と独立してこれらケースのスライド方向が定まるようにすることにある。
【課題を解決するための手段】
【０００７】
以上の課題を解決するために、容器は、上面に第１収容凹部を有する上ケースと、前記上ケースの後部にヒンジ部を介して回転可能に連結されるとともに前記第１収容凹部を開閉する上蓋と、前記上ケースの下方に位置して周壁の内側に第２収容凹部を有する下ケースと、前記下ケースに対して前記上ケースをスライドさせるスライド機構と、を備え、前記スライド機構が、前記下ケースの周壁上面に設けられるスライド部材と、前記上ケースの下面に取り付けられ、前記スライド部材を案内するガイド部材と、を有し、前記スライド部材が前記ガイド部材によって案内されることによって前記上ケースが前記下ケースに対してスライド可能に設けられている。
【０００８】
前記スライド機構による前記下ケースに対する前記上ケースのスライド範囲は、上から見て前記上ケースの外形と前記下ケースの外形が一致する位置から、上から見て前記上ケースと前記下ケースが部分的に重なった位置までである。
【０００９】
前記ガイド部材にはガイド凹所が凹設され、前記ガイド凹所の底にはガイドスリットが穿設され、前記ガイド凹所及び前記ガイドスリットが前記上ケースのスライド方向に延在し、前記スライド部材が、前記ガイド凹所の延在方向にスライド可能となって前記ガイド凹所に嵌め入れられる小天板と、前記小天板から垂下し、前記ガイドスリットの延在方向にスライド可能となって前記スライドスリットに挿入され、前記下ケースの周壁上面に固定的に係止さる脚片と、を有する。
【００１０】
前記スライド機構が、前記下ケースの周壁上面に形成された凸状スライダを更に有し、前記ガイド部材の下面に前記ガイドスリットと平行なガイド溝が形成され、前記凸状スライダが前記ガイド溝にスライド可能に嵌め入れられている。
【００１１】
前記容器が、前記ガイド溝の端に対応する位置において前記ガイド部材の下面、前記上ケースの下面又は前記ガイド溝の内底に形成された隆起部を更に備える。
【００１２】
前記ガイド部材が前記ヒンジ部の軸線に対して斜めの方向に前記スライド部材を案内する。
【００１３】
前記上ケース及び前記下ケースが上から見て矩形状の外形を有し、前記ガイド部材が前記上ケース及び前記下ケースの外形の辺に対して斜め方向に前記スライド部材を案内し、前記スライド部材が前記下ケースの周壁上面の後ろ角部に設けられている。
【００１４】
前記ガイド部材が前記上ケース及び前記下ケースの外形の対角線方向に前記スライド部材を案内する。
【００１５】
前記上ケース及び前記下ケースが上から見て円形状の外形を有する。
【００１６】
前記ガイド部材が前記上ケース及び前記下ケースの径方向に前記スライド部材を案内する。
【発明の効果】
【００１７】
本発明の幾つかの実施形態によれば、スライド機構のガイド部材及びスライド部材は、上ケースの下に隠れて見えない。よって、容器のデザイン性が高くなる。
スライド部材が下ケースの周壁の上面に取り付けられ、ガイド部材が上ケースの下面に取り付けられているため、下ケースに対する上ケースのスライド方向を下ケース及び上ケースの形状と独立して定めることができる。
【図面の簡単な説明】
【００１８】
【図１】第１実施形態の容器の外観を示す斜視図である。
【図２】第１実施形態の上ケースを下ケースに対して左斜め後ろにスライドさせた状態を示す平面図である。
【図３】第１実施形態の上ケースをスライドさせ且つ上蓋を開けた状態を俯瞰した斜視図である。
【図４】第１実施形態の容器の使用状態における側断面図である。
【図５】第１実施形態の容器のスライド機構を分解して俯瞰した斜視図である。
【図６】第１実施形態の容器のスライド機構を分解して下方から見た斜視図である。
【図７】第１実施形態のスライドガイド部材の底面図である。
【図８】第１実施形態のスライドガイド部材のガイドプレートを示す上面図である。
【図９】スライドガイド部材のガイドプレートを示す底面図である。
【図１０】図２において切断箇所をIX−IXによって示した断面図である。
【図１１】第２実施形態の容器の上ケースを下ケースに対して左斜め後ろにスライドさせた状態の平面図である。
【図１２】第２実施形態の容器の上ケースを下ケースに対して左斜め後ろにスライドさせた状態の断面図である。
【図１３】第３実施形態の容器の上ケースを下ケースに対して後ろにスライドさせた状態の平面図である。
【図１４】第３実施形態の容器の上ケースを下ケースに対して後ろにスライドさせた状態の断面図である。
【発明を実施するための形態】
【００１９】
以下、図面を参照して、本発明の好適な実施形態のコンパクト容器について説明する。
【００２０】
本発明の第1実施形態における化粧用コンパクト容器１は上蓋１０、上ケース２０、下ケース３０、ヒンジ部４０及びスライド機構５０を備える。
【００２１】
上蓋１０がヒンジ部４０により上ケース２０に回転可能に連結されることによって、上ケース２０が上蓋１０により開閉される。上蓋１０及び上ケース２０は平面矩形状、特に平面正方形状に形作られている。平面矩形状とは、上蓋１０及び上ケース２０が上から見て矩形状に形作られていることをいう。ここで、本明細書では、矩形という用語は正方形及び長方形を含む意で用い、長方形という用語は正方形を含まない意で用いる。なお、上蓋１０及び上ケース２０が平面長方形状に形作られていてもよい。
【００２２】
上ケース２０の下方には下ケース３０が後述のスライド機構５０により上ケース２０及び下ケース３０の前後方向に対して斜め方向にスライド可能に連結されている。下ケース３０は平面矩形状、特に平面正方形状に形作られている。なお、下ケース３０は平面長方形に形作られていてもよい。
【００２３】
図３に示すように上蓋１０は天板部１１、周壁１２及び係止溝１３を有する。天板部１１は矩形状に形作られ、周壁１２が天板部１１の下面の周縁部から突出している。周壁１２の前部の内面に係止溝１３が形成され、天板部１１の下面には、鏡１９が設けられている（図４参照）。
【００２４】
上蓋１０の上面には、下ケース３０に対する上ケース２０のスライド方向を示すための平行な線または凹溝８８が表面の装飾を兼ねて形成されている。なお、下ケース３０に対する上ケース２０のスライド方向を示すマーク等のデザインが上ケース２０の上面に付されてもよい。
【００２５】
上ケース２０は、図３及び図４に示すように上面が開口した容器で、底部２１、枠部２２、第１収容凹部２３及び係止爪２４等を有する。
枠部２２が底部２１上に凸設されており、枠部２２によって囲われた底部２１上のスペースが第１収容凹部２３となり、その第１収容凹部２３にはインナートレイ（図示略）が嵌め込まれ、そのインナートレイに化粧料が収容される。枠部２２の前部の外面には、係止溝１３に係止可能な係止爪２４が形成されている。
【００２６】
上蓋１０の周壁１２の後部の下面には、ヒンジ部４０の基部４１が凸状に設けられている。一方、上ケース２０の底部２１の後部の中央には凹部４２が形成されており、基部４１が凹部４２に嵌め込まれている。基部４１がヒンジシャフト４３によって凹部４２の両側の部分４４に連結されており、基部４１が上ケース２０の後部に対してヒンジシャフト４３の軸線回りに回転可能に取り付けられている。上蓋１０が回動して上ケース２０の上に重ねられると、上ケース２０の第１収容凹部２３が上蓋１０の天板部１１によって覆われて閉められる。上ケース２０が上蓋１０によって閉められた状態では、係止爪２４が係止溝１３に係止する。上蓋１０を開く際に、係止爪２４の弾性変形によって係止爪２４と係止溝１３の係止が解除され、これにより係止爪２４が係止溝１３から抜ける。
【００２７】
下ケース３０は、上ケース２０と同様に上に向けて開口する容器で、底部３１、周壁３２及び第２収容凹部３４を有する。
【００２８】
底部３１は矩形状、特に正方形状であり、周壁３２が底部３１の上面周縁部から立ち上がっている。周壁３２によって囲われた底部３１上のスペースが第２収容凹部３４となり、そこには化粧筆、パフ等の化粧用具を収納することができるようになっている。この例では、周壁３２の内面３３が内側に向かって下りに傾斜しているため、化粧用具を第２収容凹部３４から取り出しやすい。
【００２９】
本発明の第１実施形態では、下ケース３０に対して上ケース２０を下ケース３０の前後方向に対して傾斜した方向に摺動させるスライド機構５０が上ケース２０と下ケース３０の間に設けられている。下ケース３０に対する上ケース２０のスライド方向は、上から見て上ケース２０及び下ケース３０の外形となる矩形の辺に対して斜め方向であり、より具体的にはその矩形の対角線方向である。また、そのスライド方向は、ヒンジ部４０の軸線に対して斜め方向でもある。ヒンジ部４０の軸線とは、ヒンジシャフト４３の中心軸のことをいう。なお、下ケース３０に対する上ケース２０のスライド方向は、上から見て上ケース２０及び下ケース３０の外形となる矩形の辺に対して斜め方向であり、且つ、その矩形の対角線に対して斜め方向であってもよい。
【００３０】
このスライド機構５０の基本的構成としては、図５及び図６に示されているように、スライド部材５１とそれを案内するガイド部材７０を備えている。ガイド部材７０には下ケース３０及び上ケース２０の外形の辺に対して斜めに傾斜した複数のガイドスリット７３〜７５が穿設され、そのガイド部材７０は上ケース２０の下面に固定的に取り付けられるようになっている。スライド部材５１は小天板５２およびこの小天板５２から下方に垂下する脚片５３〜５６からなり、この小天板５２はガイド部材７０の上方に位置しガイドスリット７３〜７５より広幅でガイド部材７０に対して摺接可能とされ、この小天板５２から垂下する３個の脚片５３〜５５がガイドスリット７３〜７５を貫通して下ケース３０の左後ろの角部に固定的に係止される構成となっている。これにより、スライド部材５１がガイド部材７０によって案内され、ガイド部材７０と一体の上ケース２０をガイド凹所７１及びガイドスリット７３〜７５の方向にスライド部材５１を介してヒンジ部４０の軸線に対して斜めに移動させることができるのである。
【００３１】
以下に上記スライド機構５０の具体的な構成について詳述する。
図５および図６に示すように、ガイド部材７０が矩形板状に設けられている。一方、上ケース２０の底部２１の下面には矩形状の凹部２５が形成され、ガイド部材７０がその凹部２５に嵌め込まれて下ケース３０に固定されている。ガイド部材７０の上面には細長六角形状のガイド凹所７１が形成され、その内底に３本の細長いガイドスリット７３〜７５が平行に穿設されている。これらのガイド凹所７１及びガイドスリット７３〜７５はヒンジ部４０の軸線に対して斜め４５度の角度で図４および図５における左後方角部から右前方角部に向けてガイド部材７０の中央部を越えて延設されている。これらのガイドスリット７３〜７５のうち中央のガイドスリット７４はその両側のガイドスリット７３，７５よりも狭幅となっている。また、ガイド部材７０の下面には図５に示すようにガイドスリット７３〜７５の両側にこれらと平行に細長いガイド溝７７，７８が後述する目的のために設けられている。ガイド溝７７，７８はガイド部材７０の下面に凹状に形成されていていてもよいし、ガイド部材７０の下面から上面に貫通していてもよい。
【００３２】
ガイド部材７０の上方にはスライド部材５１が設けられている。このスライド部材５１には前述のように小天板５２とこの小天板５２から下方に垂下する４本の脚片５３〜５６が設けられている。この小天板５２はガイド部材７０に形成されたガイド凹所７１内に収容され、その４本の脚片５３〜５６はガイドスリット７３〜７５内に挿通され、中央の２本の脚片５４，５６は中央のガイドスリット７４に遊嵌状態で挿通され、これと同様に両側の脚片５３，５５は両外側のガイドスリット７３，７５に挿通される。ここで、小天板５２の肉厚はガイド凹所７１の深さより若干薄く形成されている。また、スライド部材５１の脚片５３〜５６の下端は下ケース３０の右前方角部の上面に形成された係止孔６３〜６６に密嵌されるようになっている。これにより、ガイド部材７０及びそれが取り付けられた上ケース２０は下ケース３０に対してガイドスリット７３〜７５の方向に摺動可能に連結されるのである。中央部のガイドスリット７４及びそれに挿通される脚片５４，５６はそれぞれその両側のガイドスリット７３，７５および脚片５３，５５よりも横幅は小さく形成されて、ガイド部材７０ががたつくことなくガイドスリット７３〜７５に沿って摺動されるようにしている。なお、スライド部材５１が有する脚片の数は４に限らない上、ガイド凹所７１の内底に形成されたガイドスリットの数も４に限るものではない。
【００３３】
スライド部材５１が自己潤滑性を有するポリアセタール樹脂（ＰＯＭ）からなるため、スライド部材５１とガイド部材７０との接触面での摩擦係数が小さい。その上、スライド部材５１は耐摩耗性を有するとともに機械的に高強度である。
【００３４】
下ケース３０の左後方角部の係止孔６３〜６５を挟む周壁３２の上面には凸状スライダ６７，６８が突設され、これらの凸状スライダ６７，６８はガイド部材７０の下面に形成されて上記ガイド溝７７，７８に遊嵌している。スライド部材５１が凸状スライダ６７・ガイド溝７７と凸状スライダ６８・ガイド溝７８との間に配置されているため、上ケース２０及びガイド部材７０がスライド部材５１を中心としてがたつくことが抑制される。よって、ガイド部材７０及び上ケース２０がスムースに移動する。
【００３５】
上記のようなスライド機構５０によって上ケース２０が下ケース３０に対して前後方向に対して斜めの方向にスライド可能に設けられている。上ケース２０のスライド範囲は小天板５２及びガイド凹所７１によって設定され、上ケース２０のスライド範囲が小天板５２のスライド範囲に等しい。具体的には、小天板５２が図８に示すガイド凹所７１の左後ろ端部７１ａに位置した状態では、図１に示すように上ケース２０が下ケース３０の第２収容凹部３４の開口を完全に覆った状態であり、上ケース２０と下ケース３０を上から見ると、上ケース２０の外形線が下ケース３０の外形線に一致する。一方、小天板５２が図８に示すガイド凹所７１の右前端部７１ｂに位置した状態では、第２収容凹部３４が大きく開かれた状態であり、上ケース２０の右前部と下ケース３０の左後部が重なっている。
【００３６】
従って、図１に示す状態から上ケース２０を斜め左後方に指で押すと上ケース２０が上蓋１０と共に下ケース３０の上面を摺動してスライド部材５１の小天板５２がガイド部材７０のガイド凹所７１の中央部を越えた位置まで移動し、これによって下ケース３０の上面が大きく開口され、その中に収納した化粧用具などを取り出すことができるのである。また、前記と反対側の動きによって、下ケース３０の第２収容凹部３４の上側が閉じられることはいうまでもない。
【００３７】
上蓋１０、上ケース２０、下ケース３０及びスライド機構５０を組み立てる方法について説明する。まず、小天板５２をガイド凹所７１に収納するとともに、２本の脚片５４，５６をガイドスリット７４に挿入し、脚片５３，５５をガイドスリット７３，７５にそれぞれ挿入する。次に、小天板５２及びガイド凹所７１を上ケース２０の下面に向けて、ガイド部材７０を凹部２５に嵌め入れる。次に、超音波溶着法等によりガイド部材７０を上ケース２０に接合する。次に、脚片５３〜５６を係止孔６３〜６６に差し込む。ここで、脚片５３〜５６が小天板５２に設けられているため、脚片５３〜５６の差込作業を容易に且つ同時に行える。また、脚片５３〜５５が爪であるので、脚片５３〜５５が弾性変形することによって係止孔６３〜６５に係止するため、係止孔６３〜６５から脚片５３〜５５が抜けない。一方、脚片５６がリブであるので、ガイドスリット７４の両側の部分が弾性変形性しにくく、脚片５４〜５５が係止孔６３〜６５から抜けにくい。以上のようにスライド部材５１を下ケース３０に取り付けた後に上蓋１０と上ケース２０をヒンジ部４０によって連結する。但し、この連結工程はスライド機構５０の組み立て作業と並行して行ってもよいし、その組み立て作業の前に行ってもよい。
【００３８】
以上に説明したように、スライド部材５１が下ケース３０の周壁３２の上面に取り付けられ、ガイド部材７０がスライド部材５１に対して摺動自在に上ケース２０の下面に取り付けられているため、下ケース３０及び上ケース２０の形状と独立してこれらケース２０，３０のスライド方向を定めることができる。
【００３９】
また、上ケース２０のスライド方向を矩形の対角線方向とすることができるので、使用者が片手で上ケース２０をスライドさせやすい。特に、使用者は、下ケース３０を片手の人差し指、中指、薬指及び小指で握って、親指で上ケース２０を簡単にスライドさせることができるので使用性が向上する。
【００４０】
上ケース２０のスライド方向をヒンジシャフト４３の軸線に対して斜めとすることによって、上ケース２０を片手でスライドさせる際に、上ケース２０のスライド動作につられて上蓋１０が誤って開閉することを防止できる。また、上蓋１０を開閉する際に、上ケース２０が上蓋１０の開閉動作につられて誤ってスライドすることを防止できる。
【００４１】
上ケース２０のスライド方向をヒンジ部４０の軸線に対して斜めとすることによって、上ケース２０のスライド方向が下ケース３０の対角線方向であるため、容器１のデザイン性を多様化して向上させることができる。
【００４２】
上ケース２０を下ケース３０に対して最も大きくスライドさせた位置では、下ケース３０の第２収容凹部３４の前部及び右側部が大きく開放され、この第２収容凹部３４に化粧用具等を収納した場合にはそれらを取り出しやすくすることができる。
【００４３】
下ケース３０が開放された状態では、ガイド部材７０及びスライド部材５１が上ケース２０の下に隠れ、また、ガイド部材７０のガイドスリット７３〜７５及びガイド溝７７，７８はケース２０，３０の側面からは見えないので、容器１のデザイン性が向上する。
【００４４】
また、図９に示すように、上ケース２０を下ケース３０に対して閉じた位置及び最も大きくスライドさせた位置で、上ケース２０が下ケース３０に対してがたつかないようにするために、ガイド部材７０に設けたガイド溝７７，７８の各両端部近傍に弾性変形可能な凸状狭窄部７７ａ，７７ｂ，７８ａ，７８ｂを設け、このガイド溝７７，７８と嵌合する下ケース３０に設けた凸状スライダ６７，６８がガイド部材７０のスライドによりこの凸状狭窄部７７ａ，７７ｂ，７８ａ，７８ｂを通過したときに凸状スライダ６７，６８がガイド溝７７，７８の端面と凸状狭窄部７７ａ，７７ｂ，７８ａ，７８ｂとの間で挟持されるようにすればよい。ガイド溝７７，７８の側面を基準とした凸状狭窄部７７ａ，７７ｂ，７８ａ，７８ｂの突出高さや凸状狭窄部７７ａ，７７ｂ，７８ａ，７８ｂの弾性係数の設計によって、嵌め合い強度が設定される。嵌め合い強度とは、凸状スライダ６７，６８がガイド溝７７，７８の端面と凸状狭窄部７７ａ，７７ｂ，７８ａ，７８ｂとの間からの抜けにくさをいう。
【００４５】
更に、上ケース２０が下ケース３０に対して閉じられて完全に重なった位置において、上ケース２０ががたつくのを防止するために、ガイド部材７０の下面のヒンジ位置と反対側の図２における前方右側にはフック状の隆起部８５が設けられている。そして、下ケース３０の左前方の周壁３２の内面３３には凹陥部８６が形成され、上ケース２０を下ケース３０に完全に重ねたときに上記フック状の隆起部８５が凹陥部８６に嵌合するように形成されている。なお、隆起部８５が凹陥部８６に嵌合する際に、隆起部８５が弾性変形してもよい。
【００４６】
図８に示すガイド凹所７１の左後ろ端部７１ａが角状に形成されており、小天板５２がガイド凹所７１の左後ろ端部７１ａに位置すると、小天板５２の外縁は異なる２面でガイド凹所７１の内周に当接する。そのため、スライド部材５１が図８の紙面に垂直な軸回りに回転するようながたつきを起こさず、強いては上ケース２０が下ケース３０に対してがたつかない。小天板５２がガイド凹所７１の右前の端部７１ｂに位置する場合についても同様である。
【００４７】
図７に示すように脚片５６が平面視矩形状に形成されており、図８に示すようにガイドスリット７４の右前の端部７４ｂが平面視矩形状に形成されている。そのため、小天板５２がガイド凹所７１の左後ろ端部７１ａに位置すると、脚片５６が異なる３面でガイドスリット７４の内周に当接する。それゆえ、スライド部材５１が図８の紙面に垂直な軸回りに回転するようながたつきを起こさず、強いては上ケース２０が下ケース３０に対してがたつかない。
【００４８】
図６及び図１０に示すように、ガイド部材７０の下面の左後ろ角部には、隆起部８１が形成されている。この隆起部８１は、ガイド凹所７１の左後ろ端部７１ａの下に配置されている。ガイド凹所７１の左後ろ端部７１ａ寄りの内底には、端部に向かって上りの傾斜面７１ｃからなる隆起部が形成されている。使用者が上ケース２０を図１に示す状態へスライドさせることによって小天板５２がガイド凹所７１の左後ろ端部７１ａに位置すると、ガイド部材７０及び上ケース２０が隆起部８１によって下ケース３０に対して僅かに持ち上がるとともに、小天板５２が隆起部８１によってガイド凹所７１の傾斜面７１ｃに引き付けられる。よって、図２に示すように第２収容凹部３４が開かれた状態が維持されるとともに、上ケース２０が下ケース３０に対してがたつかない。
【００４９】
図６及び図１０に示すように、上ケース２０の下面には、隆起部８３が形成されている。隆起部８３はガイド凹所７１の右前の端部７１ｂの上に配置されるとともに、ガイド凹所７１の内底から離間する。ガイド凹所７１の右前端部７１ｂ寄りの内底には、端部に向かって上りの傾斜面７１ｄからなる隆起部が形成されている。小天板５２がガイド凹所７１の右前の端部７１ｂに位置すると、小天板５２が隆起部８３によってガイド凹所７１の傾斜面７１ｄに押し付けられる。よって、図１に示すように下ケース３０を上ケース２０によって閉じた状態が維持されるとともに、上ケース２０が下ケース３０に対してがたつかない。
【００５０】
本発明の上記実施形態では、スライド部材５１を下ケース３０の図５及び図６で示す左後方角部に取付ける例を示したが、この位置はこれに限らず右後方角部にし、それに合わせてガイド部材７０のスリットなどの位置関係を決めるようにしてもよいことは言うまでもない。この場合、上ケース２０は下ケース３０に対して相対的にケース２０，３０の左前方角部と右後方角部とを結ぶ対角線方向にスライドする。
【００５１】
また、本発明の上記実施形態では、平面矩形状のコンパクト容器１を例にとって説明したが、本発明はこのような形状のコンパクト容器に限られず、平面円形のコンパクト容器等にも適用可能である。
図１１及び図１２はその円形コンパクト容器の第２の実施形態を示し、平面円形状の上蓋１１０がヒンジ部１４０により上ケース１２０に回転可能に連結されることによって、平面円形状の上ケース１２０の第１収容凹部１２３が上蓋１１０により開閉される。上ケース１２０が第１実施形態と同様のスライド機構１５０により平面円形状の下ケース１３０にスライド可能に連結されることによって、下ケース１３０の第２収容凹部１３４が上ケース１２０により開閉される。この場合、もちろん上ケース１２０の底面に取り付けられるガイド部材１７０は円形となる。そして、第２実施形態におけるスライド部材１５１は図１１の左後方１/４円の中心部に相当する下ケース１３０の周壁１３２の上面に設けられ、そのスライド部材１５１がガイド部材１７０によって案内されることによって上ケース１２０が下ケース１３０上でスライド可能となっている。上ケース１２０のスライド方向は、第１実施形態における上ケース２０のスライド方向と同一で、ヒンジ部１４０のヒンジシャフト１４３の軸線に対して斜めであり、具体的には、上ケース１２０のスライド方向に対するヒンジシャフト１４３の軸線の傾斜角は４５°で、下ケース１３０の径方向である。ここで、図１１に示すガイド凹所１７１はスライド部材１５１の小天板１５２をヒンジ部１４０のヒンジシャフト１４３の軸線に対して斜め方向に案内する。そのガイド凹所１７１の内底に穿設されたガイドスリット１７３〜１７５はスライド部材１５１の脚片１５３〜１５５をヒンジ部１４０のヒンジシャフト１４３の軸線に対して斜め方向に案内する。
【００５２】
第２実施形態においては、上ケース１２０のスライド方向がヒンジ部１４０のヒンジシャフト１４３の軸線に対して斜めであるため、容器１０１のデザインに意外性及び興趣性がある。
【００５３】
図１３及び図１４はその円形コンパクト容器の第３の実施形態を示し、平面円形状の上蓋２１０がヒンジ部２４０により上ケース２２０に回転可能に連結されることによって、平面円形状の上ケース２２０の第１収容凹部２２３が上蓋２１０により開閉される。上ケース２２０がスライド機構２５０により平面円形状の下ケース２３０にスライド可能に連結されることによって、下ケース２３０の第２収容凹部２３４が上ケース２２０により開閉される。この場合、もちろん上ケース２２０の底面に取り付けられるガイド部材２７０は円形となる。そして、第２実施形態における一対のスライド部材２５１は下ケース２３０の周壁２３２の後部上面に設けられ、スライド部材２５１がガイド部材２７０によって案内されることによって上ケース２２０が下ケース２３０上でスライド可能となっている。下ケース２３０に対する上ケース２２０のスライド方向は前後方向である。つまり、そのスライド方向は、ヒンジ部２４０のヒンジシャフト２４３の軸線に対して垂直であって、下ケース２３０の径方向でもある。ここで、図１３に示すガイド凹所２７１はスライド部材２５１の小天板２５２をヒンジ部２４０のヒンジシャフト２４３の軸線に対して直交する方向に案内する。そのガイド凹所２７１の内底に穿設されたガイドスリット２７３はスライド部材２５１の脚片２５３をヒンジ部２４０のヒンジシャフト２４３の軸線に対して直交する方向に案内する。
【符号の説明】
【００５４】
１，１０１，２０１…容器
１０，１１０，２１０…上蓋
２０，１２０，２２０…上ケース
２３，１２３，２２３…第１収容凹部
３０，１３０，２３０…下ケース
３２，１３２，２３２…周壁
３４，１３４，２３４…第２収容凹部
４０，１４０，２４０…ヒンジ部
４３，１４３，２４３…ヒンジシャフト
５０，１５０，２５０…スライド機構
５１，１５１，２５１…スライド部材
５２，１５２，２５２…小天板
５３〜５６，１５３〜１５５，２５３…脚片
６７，６８…凸状スライダ
７０，１７０，２７０…ガイド部材
７１，１７１，２７１…ガイド凹所
７３〜７５，１７３〜１７５，２７３…ガイドスリット
【図１】
2019193727.tif 000003
【図２】
2019193727.tif 000004
【図３】
2019193727.tif 000005
【図４】
2019193727.tif 000006
【図５】
2019193727.tif 000007
【図６】
2019193727.tif 000008
【図７】
2019193727.tif 000009
【図８】
2019193727.tif 000010
【図９】
2019193727.tif 000011
【図１０】
2019193727.tif 000012
【図１１】
2019193727.tif 000013
【図１２】
2019193727.tif 000014
【図１３】
2019193727.tif 000015
【図１４】
2019193727.tif 000016